(57)【要約】【課題】点眼時に必要量の点眼液を点眼することができ、点眼液が結膜嚢からこぼれることを防止し、点眼容器内の点眼液における異物の混入や細菌などの微生物の繁殖を抑えることができる点眼容器アタッチメント、及び、点眼容器を提供すること。【解決手段】吐出部に固定され、第１の量の点眼液を貯留可能な第１点眼液貯留部を有する基部１０と、点眼液が吐出口から流出する方向における下流側に設けられ、第１点眼液貯留部に連通可能であり第２の量の点眼液を液滴として貯留可能な第２点眼液貯留部３０１を有する先端部３０と、第１点眼液貯留部に設けられ、第１点眼液貯留部から第２点眼液貯留部３０１へ点眼液を流通させ、第１点眼液貯留部における点眼容器の吐出口への第２点眼液貯留部３０１からの点眼液の逆流を阻止する逆止弁と、を備える点眼容器アタッチメント１である。【選択図】図１
2019166228.tif 000002
【特許請求の範囲】
【請求項１】
点眼液を吐出する点眼容器の吐出口が形成された点眼容器の吐出部に装着される点眼容器アタッチメントであって、
前記吐出部に固定され、第１の量の点眼液を貯留可能な第１点眼液貯留部を有する基部と、
前記点眼液が前記吐出口から流出する方向における下流側に設けられ、前記第１点眼液貯留部に連通可能であり第２の量の点眼液を液滴として貯留可能な第２点眼液貯留部を有する先端部と、
前記第１点眼液貯留部に設けられ、前記第１点眼液貯留部から前記第２点眼液貯留部へ点眼液を流通させ、前記第１点眼液貯留部における前記点眼容器の前記吐出口への前記第２点眼液貯留部からの点眼液の逆流を阻止する逆止弁と、を備える点眼容器アタッチメント。
【請求項２】
前記第２点眼液貯留部は、所定の間隔で配置された複数の点眼液保持部材を有し、
前記第２点眼液貯留部に貯留されている点眼液の少なくとも一部が、複数の前記点眼液保持部材の間に位置することにより、前記点眼液保持部材によって、前記第２の量の点眼液は、前記第２点眼液貯留部に貯留される、請求項１に記載の点眼容器アタッチメント。
【請求項３】
複数の前記点眼液保持部材は、並列された２つの環状部を有し、２つの前記環状部の間に形成されたスリットにより２つの前記環状部が所定の間隔で配置される請求項２に記載の点眼容器アタッチメント。
【請求項４】
点眼液を吐出する吐出口が形成された吐出部を有する点眼容器であって、
前記吐出部に設けられ第１の量の点眼液を貯留可能な第１点眼液貯留部と、
前記点眼液が前記吐出口から流出する方向における下流側に設けられ、前記第１点眼液貯留部に連通可能であり第２の量の点眼液を液滴として貯留可能な第２点眼液貯留部を有する先端部と、
前記第１点眼液貯留部と前記第２点眼液貯留部との間に設けられ、前記第１点眼液貯留部から前記第２点眼液貯留部へ点眼液を流通させ、前記第１点眼液貯留部における前記点眼容器の前記吐出口へのから前記第２点眼液貯留部からの点眼液の逆流を阻止する逆止弁と、を備える点眼容器。
【発明の詳細な説明】
【技術分野】
【０００１】
本発明は、点眼容器に装着されて用いられる点眼容器アタッチメント、及び、点眼容器に関する。
【背景技術】
【０００２】
点眼液を点眼するための点眼容器が従来より知られている（例えば、特許文献１参照）。特許文献１に記載の点眼容器においては、ノズルの先端部に、主容器部からノズルへ向かう方向に開口する射出口が形成されており、射出口から点眼液を飛ばして点眼を行う。
【先行技術文献】
【特許文献】
【０００３】
【特許文献１】特開２０１３−５９４７号公報
【発明の概要】
【発明が解決しようとする課題】
【０００４】
しかし、上記特許文献１に記載の装置は、射出口から点眼液を滴下して点眼を行うため、点眼液を１滴だけ正確に滴下することは意外と難しく、点眼行為を行う患者の半数以上は点眼時に薬液をこぼしてしまう・必要量以上の薬液が噴出されてしまう・点眼容器を不潔に使用するなどの問題があるので、より適切な点眼方法が求められていた。ここで「点眼液を滴下する」とは、点眼容器から、必要量である１滴の点眼液（薬液）を眼表面に清潔に（どこも触れさせずに）供給する行為を言う。
また、一般的な点眼容器で点眼する際には、点眼しようとする患者は、上を向いて重力に従って点眼液を滴下させる。このため首関節の伸展が困難な患者や、視野狭窄を来している患者は点眼時に薬液がこぼれてしまう確率が上がるため、より適切な点眼方法が求められていた。さらに、点眼者と被点眼者が同一でない場合 (小児や高齢者など)、点眼液が噴出するタイミングが不明であったり、被点眼者が動いてしまうことで、正確な点眼行為を行うことが難しく、より適切な点眼方法が求められていた。
【０００５】
点眼液の成分や基剤には人体に悪影響を与える化合物が含まれており、適切な場所 (眼表面)以外に点眼液が触れると、患者に副作用を与える。例えば、点眼液には塩化ベンザルコニウムという防腐剤が含まれており、特に角膜上皮障害があることは古くから知られている(Swan et al. Reactivity of the Ocular Tissues to Wetting Agents. Am. J Ophthalmol. 1944)。塩化ベンザルコニウム含有のlatanoprostという抗緑内障薬を使用中の患者に同じ成分で塩化ベンザルコニウム未含有のtafluprostという点眼液に変更してみると、薬効効果は同じであるが、副作用 (流涙・掻痒感・乾燥感・眼瞼炎・角結膜上皮障害・充血)が全て有意に改善したというメタ・アナライシス (Uusitalo et al. Benefits of switching from latanoprost to preservative-free tafluprost eye drops: a meta-analysis of two Phase IIIb clinical trials. Clin Ophthalmol. 2016)データもあり、点眼液中に含まれる成分の副作用により、人体に多大な影響を与えるという課題がある。
【０００６】
他の例を挙げると、緑内障患者は発症してから一生、進行を予防するために毎日点眼を続けなければならない。緑内障点眼の副作用である掻痒感・眼瞼炎・色素沈着・睫毛異常などの副作用は、４０％近くの緑内障患者に認められており(ドクターサロン６０巻２月号)、一生涯これらの副作用とともに生活しなければならない。海外の文献においても同様の報告があり、緑内障点眼の副作用としては、接触性皮膚炎・結膜炎・眼瞼の収縮・瞳孔拡大・充血などが報告されている (American Academy of Ophthalmology, Eyewiki、http://eyewiki.aao.org/Medical_Management_for_Primary_Open_Angle_Glaucoma#Medical_therapy)。
【０００７】
また、点眼時に点眼液がこぼれてしまうことでアイメイクが崩れるという課題があり、アイメイクが崩れないために点眼液がこぼれない目薬の点眼方法が求められている（女性セブン ２０１７年５月１８日号ｐ１０４）。
【０００８】
そもそも点眼液は眼に滴下された後、結膜嚢に保持され、角膜より吸収される。一般的な点眼容器から吐出される点眼液１滴の容量は、たとえば、慶應病院web: http://www.hosp.keio.ac.jp/annai/raiin/kusuri/kusuri_02.html、ほか多数の文献に記載されているように、４０μｌ（リットル）〜５０μｌである。また、点眼液の受け皿である結膜嚢の容積は２０μｌである。従って、点眼液１滴の容量や結膜嚢の容積には個人差があるが、点眼液は基本的に結膜嚢からこぼれる設計になっている。
【０００９】
また、一般的な点眼容器の場合には、点眼の際に睫毛等に点眼容器のノズルの先端部が接触することにより、点眼容器内に異物が混入したり、細菌などの微生物が点眼容器の内部に入り、点眼容器の内部で細菌が繁殖するという課題がある。現に開封後の点眼容器の中で細菌の繁殖が起きているという文献もある
(Danny H, Kauffmann J, Gary PW, et al. Bacterial contamination of ophthalmic solutions used in an extended care facility. Br J Ophthalmol. 2007 Oct; 91(10): 1308-1310.)。
【００１０】
本発明は、このような課題に鑑みてなされたものであり、点眼時に必要量の点眼液を点眼することができ、点眼液が結膜嚢からこぼれることを防止し、点眼容器内の点眼液における異物の混入や細菌などの微生物の繁殖を抑えることができる点眼容器アタッチメント、及び、点眼容器を提供することを目的とする。
【課題を解決するための手段】
【００１１】
本発明は、点眼液を吐出する点眼容器の吐出口が形成された点眼容器の吐出部に装着される点眼容器アタッチメントであって、前記吐出部に固定され、第１の量の点眼液を貯留可能な第１点眼液貯留部を有する基部と、前記点眼液が前記吐出口から流出する方向における下流側に設けられ、前記第１点眼液貯留部に連通可能であり第２の量の点眼液を液滴として貯留可能な第２点眼液貯留部を有する先端部と、前記第１点眼液貯留部に設けられ、前記第１点眼液貯留部から前記第２点眼液貯留部へ点眼液を流通させ、前記第１点眼液貯留部における前記点眼容器の前記吐出口への前記第２点眼液貯留部からの点眼液の逆流を阻止する逆止弁と、を備える点眼容器アタッチメントに関する。
【００１２】
また、前記第２点眼液貯留部は、所定の間隔で配置された複数の点眼液保持部材を有し、前記第２点眼液貯留部に貯留されている点眼液の少なくとも一部が、複数の前記点眼液保持部材の間に位置することにより、前記点眼液保持部材によって、前記第２の量の点眼液は、前記第２点眼液貯留部に貯留されることが好ましい。
【００１３】
また、複数の前記点眼液保持部材は、並列された２つの環状部を有し、２つの前記環状部の間に形成されたスリットにより２つの前記環状部が所定の間隔で配置されることが好ましい。
【００１４】
また、本発明は、点眼液を吐出する吐出口が形成された吐出部を有する点眼容器であって、前記吐出部に設けられ第１の量の点眼液を貯留可能な第１点眼液貯留部と、前記点眼液が前記吐出口から流出する方向における下流側に設けられ、前記第１点眼液貯留部に連通可能であり第２の量の点眼液を液滴として貯留可能な第２点眼液貯留部を有する先端部と、前記第１点眼液貯留部と前記第２点眼液貯留部との間に設けられ、前記第１点眼液貯留部から前記第２点眼液貯留部へ点眼液を流通させ、前記第１点眼液貯留部における前記点眼容器の前記吐出口へのから前記第２点眼液貯留部からの点眼液の逆流を阻止する逆止弁と、を備える点眼容器に関する。
【発明の効果】
【００１５】
本発明によれば、点眼時に必要量の点眼液を点眼することができ、点眼液が結膜嚢からこぼれることを防止し、点眼容器内の点眼液における異物の混入や細菌などの微生物の繁殖を抑えることができる点眼容器アタッチメント、及び、点眼容器を提供することができる。
【図面の簡単な説明】
【００１６】
【図１】本発明の第１実施形態による点眼容器アタッチメント１を示す斜視図である。
【図２】本発明の第１実施形態による点眼容器アタッチメント１の基部１０を示す概略断面図である。
【図３】本発明の第２実施形態による点眼容器アタッチメント１Ａを示す斜視図である。
【図４】本発明の第３実施形態による点眼容器アタッチメントの基部１０Ｂを示す概略断面図である。
【図５】本発明の実施形態による点眼容器２Ｃを示す正面図である。
【発明を実施するための形態】
【００１７】
以下、本発明の第１実施形態による点眼容器アタッチメント１について、図１〜図２を参照しながら説明する。図１は、本発明の第１実施形態による点眼容器アタッチメント１を示す斜視図である。図２は、本発明の第１実施形態による点眼容器アタッチメント１の基部１０を示す概略断面図である。
以下の説明においては、後述の基部１０から先端部３０へと向かう方向を先端側の方向と定義し、その反対の方向を基端側の方向と定義して説明する。
【００１８】
点眼容器アタッチメント１は、点眼液を吐出する吐出口が形成された点眼容器２（図２参照）の先端の吐出部であるノズル２１に覆い被せられて固定されて装着されるアタッチメントであり、１回の点眼が行われた後には廃棄され、点眼を行う都度新たに装着されるディスポーサブルな点眼容器用のアタッチメントである。
【００１９】
点眼容器アタッチメント１は、図１に示すように、基部１０と、先端部３０と、を備えている。基部１０は、ポリカーボネート等の、ある程度伸縮性を有しており点眼容器２のノズル２１を圧入するこにより容易にノズル２１から外れないように固定可能な材料により構成されており、図２に示すように、先細りの載頭円錐形状の外形を有している。基部１０の内部であって基部１０の軸心位置には、基部１０の基端側に位置する大径の内部空間の部分である大径部１１と、先端側に位置する小径の内部空間の部分である小径部１２とが形成されており、これらには、点眼容器２のノズル２１の先端のノズル２１の開口から吐出された点眼液が流通可能であり、貯留可能である。
【００２０】
基部１０の内部であって小径部１２の中間の部分には、逆止弁１２１が設けられている。逆止弁１２１は、公知の逆止弁により構成されており、大径部１１から小径部１２へと流れてきて、逆止弁１２１よりも基部１０の先端側へ流れた点眼液が、逆止弁１２１よりも基端側へ逆流することを防止する。即ち、逆止弁１２１は、第１点眼液貯留部１０１から第２点眼液貯留部３０１へ点眼液を流通させ、第１点眼液貯留部１０１における点眼容器２のノズル２１の吐出口への第２点眼液貯留部３０１からの点眼液の逆流を阻止する。逆止弁１２１の前後の基部１０における大径部１１及び小径部１２は、第１点眼液貯留部１０１を構成し、逆止弁１２１は、第１点眼液貯留部１０１に設けられている。
【００２１】
第１点眼液貯留部１０１は、第１の量の点眼液を貯留可能である。第１の量は、具体的には、１０μｌ（リットル）以上３０μｌ以下である。１０μｌ以上３０μｌ以下としたのは、この数字の幅は、点眼容器２の先と基部１０が接続する部位のいわゆる死腔（デッドスペース：ここで述べる死腔とは、基部に貯留される薬液が使われずに捨てられるため、死腔と表現されている）にあたるためであるからである。即ち、１０μｌ未満では死腔にあたる量が少なすぎるためであり、３０μｌを超えると、死腔にあたる量が多すぎて点眼液が無駄になるためである。
【００２２】
図１に示すように、先端部３０は、基部１０の先端に接続されて固定されている。即ち、先端部３０は、点眼液がノズル２１（図２参照）から流出する方向における下流側に設けられている。先端部３０は、逆止弁１２１が開くことにより第１点眼液貯留部１０１に連通可能な第２点眼液貯留部３０１であって、第２の量の点眼液を液滴として貯留可能な第２点眼液貯留部３０１を有する。
【００２３】
具体的には、先端部３０は、眼のいずれの部分に触れても人体に害を及ぼさない材料、例えば、柔軟性の高いシリコーンゴム、ポリエチレンなどの柔らかい樹脂、ポリ塩化ビニル (点滴チューブの素材)等により構成されており、第２点眼液貯留部３０１は、先端部３０に形成されている。即ち、第２点眼液貯留部３０１は、先端部３０を構成する、所定の間隔で配置された複数の点眼液保持部材により形成されている。点眼液保持部材においては、保持部材基部３３は一体成形されて筒状を有しており、保持部材基部３３の先端側は、点眼液保持部材は分岐して並列された２つの帯状の環状部３１により構成されており、基部１０の先端を覆うように、保持部材基部３３は、基部１０の先端に固定されている。２つの環状部３１の間にはスリット３４が形成されており、このスリット３４によって２つの環状部３１が所定の間隔で配置されている。
【００２４】
２つの環状部３１により取囲まれる空間３１１には、第２の量の点眼液が液滴として一時的に貯留される。第２の量とは具体的には、１０μｌ（リットル）以上２０μｌ以下である。１０μｌ以上２０μｌ以下としたのは、この範囲の点眼液の量は、本来点眼液として、こぼれず結膜嚢に移行しなければならない必要量である。即ち、１０μｌ未満では点眼液による効能を十分に得られず、２０μｌを超えると、ヒトの結膜嚢 (点眼液を受け止める受け皿)の容量を超えてしまい、不要な点眼液の量まで含まれて、結膜嚢からこぼれることになるからである。
【００２５】
次に、点眼液を点眼する際の動作について説明する。先ず、点眼容器アタッチメント１を、点眼液を吐出する吐出口が形成された点眼容器２の先端の吐出部であるノズル２１に覆い被せるようにして固定して装着する。次に、点眼容器２のノズル２１を、点眼容器アタッチメント１に対して上側の位置とするか、あるいは、点眼容器２の容器本体２２を軽く圧迫する。これにより、ノズル２１を通して、点眼容器２の容器本体２２に貯留されている点眼液を、第１点眼液貯留部１０１へ流入させる。これにより、点眼液は逆止弁１２１を通過して、基部１０の第１点眼液貯留部１０１から先端部３０の第２点眼液貯留部３０１へ流入する。第２点眼液貯留部３０１へ流入した点眼液の一部は、毛細管現象により２つの環状部３１の間に形成されたスリット３４に入り込み、表面張力によって、環状部３１により形成された空間３１１において、液滴の状態で環状部３１に保持される。
【００２６】
次に、点眼を行う点眼者は、従来の点眼方法のように上を向かずに、正面を向いたままの正面視で、下まぶたを下方向へ引っ張り、下眼瞼結膜（赤眼の部分）を露出させる。そして、点眼者は、下眼瞼結膜に対して点眼容器アタッチメント１の先端部３０の環状部３１、又は、環状部３１に保持され環状部３１からはみ出している点眼液の液滴を接触させることにより、点眼液を下眼瞼結膜に対して点眼する。
【００２７】
上記構成の実施形態による点眼容器アタッチメント１によれば、以下のような効果を得ることができる。上述のように、点眼液を吐出する点眼容器２の吐出口が形成された点眼容器２の吐出部としてのノズル２１に装着される点眼容器アタッチメント１は、点眼容器２のノズル２１に固定され、第１の量の点眼液を貯留可能な第１点眼液貯留部１０１を有する基部１０と、点眼液が吐出口から流出する方向における下流側に設けられ、第１点眼液貯留部１０１に連通可能であり第２の量の点眼液を液滴として貯留可能な第２点眼液貯留部３０１を有する先端部３０と、第１点眼液貯留部１０１に設けられ、第１点眼液貯留部１０１から第２点眼液貯留部３０１へ点眼液を流通させ、第１点眼液貯留部１０１における点眼容器２のノズル２１への第２点眼液貯留部３０１からの点眼液の逆流を阻止する逆止弁１２１と、を備える。
【００２８】
この構成により、先端部３０の環状部３１により構成される第２点眼液貯留部３０１に保持されている１０μｌ（リットル）以上２０μｌ以下の点眼に適した量の点眼液を、正確に、且つ、狙いを外すことなく、結膜嚢へ確実に供給して点眼を行うことができる。この結果、結膜嚢から点眼液が溢れることを防止することができ、溢れた点眼液により眼瞼炎等の副作用が生じてＡＤＬ（日常生活動作：Activities of Daily Living）低下を招くことを抑えることが可能となり、安全に点眼液を眼に点眼することができる。さらに、点眼者と被点眼者が同一でない場合 (小児や高齢者などに対してこれら以外の者が点眼する場合)、点眼行為自体が簡単になる。また、点眼薬コストの増加を抑え、余分な医療費の増加を抑えことが可能である。
【００２９】
また、第１点眼液貯留部１０１には、点眼における必要量である１０μｌ（リットル）以上３０μｌ以下の量の点眼液が保持されている。このため、第１点眼液貯留部１０１に貯留されている点眼液の量と、第２点眼液貯留部３０１に貯留されている点眼液の量とを合計しても５０μｌ（リットル）程度であり、この量は、従来の点眼容器２から滴下される１滴の点眼液の量である３０μｌ（リットル）〜５０μｌと同程度の量である。従って、点眼容器アタッチメント１は、点眼を行う都度装着され１回の点眼が行われた後には廃棄されるディスポーサブルな点眼容器用のアタッチメントであるが、従来の点眼容器２の場合と比較して、より多くの量の点眼液を点眼容器アタッチメント１とともに無駄に廃棄してしまうことが抑えられる。
【００３０】
また、点眼容器アタッチメント１は、点眼を行う都度装着され１回の点眼が行われた後には廃棄されるディスポーサブルな点眼容器用のアタッチメントであるため、衛生的である。特に、点眼容器アタッチメント１は、逆止弁１２１を有しているため、先端部３０に付着した細菌が、第２点眼液貯留部３０１及び第１点眼液貯留部１０１を通り、点眼容器本体２２の内部の点眼液に入ることを抑えることができる。このため、点眼容器本体２２の内部の点眼液において細菌が繁殖することを抑えることが可能である。
【００３１】
また、点眼の際に下眼瞼結膜に接触するのは、点眼容器アタッチメント１の先端部３０の環状部３１、又は、環状部３１に保持されている液滴のみである。更に、点眼容器２の先端のノズル２１は、点眼容器アタッチメント１の基部１０に完全に覆われているため、点眼容器２の先端のノズル２１は、下眼瞼結膜や睫毛や皮膚等に全く接触しない。このため、点眼容器２の先端のノズル２１から、点眼容器本体２２の内部の点眼液に入ることを抑えることができ、この結果、点眼容器本体２２の内部の点眼液において異物混入や細菌などの微生物が繁殖して汚染されることを抑えることが可能である。
【００３２】
また、従来の点眼容器２のみを使用する場合には、点眼液投与時に重力を利用し、垂直に点眼液が落ちていくことを利用するため、上を向くことが困難な点眼者や点眼者と被点眼者が同一でない場合は点眼行為自体が困難であったが、正面視で点眼を行うことができるため、このような問題点も解消できる。
【００３３】
また、第２点眼液貯留部３０１は、所定の間隔で配置された複数の点眼液保持部材を有する。第２点眼液貯留部３０１に貯留されている点眼液の少なくとも一部が、複数の点眼液保持部材の間に位置することにより、点眼液保持部材によって、第２の量の点眼液は、第２点眼液貯留部３０１に貯留される。この構成により、毛細管現象及び表面張力によって、第２点眼液貯留部３０１から容易に滴下してこぼれ落ちないように保持することができる。
【００３４】
また、複数の点眼液保持部材は、並列された２つの環状部３１を有し、２つの環状部３１の間に形成されたスリット３４により２つの環状部３１が所定の間隔で配置される。
この構成により、液滴の周囲を２つの環状部３１により囲まれた空間３１１において表面張力により保持することができ、液滴が環状部３１から容易に滴下してこぼれ落ちないように保持することができる。更に、２つの環状部３１の間に形成されたスリット３４に、液滴が毛細管現象により入り込むことができるため、より確実に液滴が、環状部３１から容易に滴下してこぼれ落ちないように保持することができる。
【００３５】
以下、本発明の第２実施形態による点眼容器アタッチメント１Ａについて図３を参照しながら説明する。図３は、本発明の第２実施形態による点眼容器アタッチメント１Ａを示す斜視図である。
本発明の第２実施形態に係る点眼容器アタッチメント１Ａは、先端部３０Ａの構成が第１実施形態における先端部３０の構成とは異なる。これ以外の各部の構成については、第１実施形態による点眼容器アタッチメント１の各部の構成と同様である。第１実施形態における各構成と同様の構成については、同様の符号を付して説明を省略する。
【００３６】
先端部３０Ａは、弾力性を有する複数の糸状部材３１Ａを有している。糸状部材３１Ａの一端部同士は基部１０の先端に固定されており、糸状部材３１Ａの他端部同士はそれぞれ互いに一点で固定されている。このように固定されることにより複数の糸状部材３１Ａは、図３に示すように、全体で球形状を有している。球形状の内部の空間３１１Ａは、第２点眼液貯留部３０１を構成する。基部１０の第１点眼液貯留部１０１から先端部３０Ａの第２点眼液貯留部３０１へ流入した点眼液の一部は、毛細管現象により糸状部材３１Ａ間に入り込み、表面張力によって、糸状部材３１Ａにより形成された空間３１１Ａにおいて、液滴の状態で糸状部材３１Ａに保持される。
【００３７】
次に、本発明の第３実施形態による点眼容器アタッチメント１Ｂについて図４を参照しながら説明する。図４は、本発明の第３実施形態による点眼容器アタッチメントの基部１０Ｂを示す概略断面図である。
本発明の第３実施形態に係る点眼容器アタッチメントは、基部１０Ｂの構成が第１実施形態における基部１０の構成とは異なる。これ以外の各部の構成については、第１実施形態による点眼容器アタッチメント１の各部の構成と同様である。第１実施形態における各構成と同様の構成については、同様の符号を付して説明を省略する。
【００３８】
基部１０は、拡径部１１Ｂを有している。拡径部１１Ｂの一端は、小径部１２の基部側の端部に接続されている。拡径部１１Ｂは、先端側から基端側に近づくにつれて徐々に拡径しており、図４に示すように、基部１０Ｂの軸心を含む断面においては、テーパ形状を有している。拡径部１１Ｂにおいては、内径として様々な値を採ることが可能であり、点眼容器２の様々な寸法のノズル２１の先端を挿入して固定することが可能である。
【００３９】
次に、本発明の一実施形態による点眼容器２Ｃについて図５を参照しながら説明する。図５は、本発明の実施形態による点眼容器２Ｃを示す正面図である。
点眼容器２Ｃは、１回の点眼に使用された後に廃棄されるディスポーサブルな点眼容器であり、第１実施形態による点眼容器アタッチメント１と、点眼容器２の容器本体２２とが一体的に接続されたような構成を有している。第１実施形態における各構成と同様の構成については、同様の符号を付して説明を省略する。
【００４０】
点眼容器２Ｃは、容器本体２２Ｃと、点眼液を吐出する吐出部を構成する基部１０Ｃと、先端部３０とを有している。基部１０Ｃの基端は、容器本体２２Ｃの上部の開口部に一体成形されて接続されている。図５における容器本体２２Ｃの下側及び、先端部３０よりも上側には、容器本体２２Ｃと一体成形されて構成された容器支持部３Ｃが設けられている。
【００４１】
本発明は、上述した実施形態に限定されることはなく、特許請求の範囲に記載された技術的範囲において変形が可能である。例えば、先端部３０の構成は、上述の実施形態の構成に限定されない。例えば、先端部３０は、スプーンの様な形状の液滴載置部を有していて、液滴載置部の上面において、液滴を保持できるように第２点眼液貯留部が構成されていてもよい。この場合には、液滴載置部には、上述の実施形態の環状部３１によって保持される量と同量の液滴が保持可能である。
【００４２】
また、２つの環状部３１のうちの一方の環状部３１が他方の環状部３１から離間するように湾曲し、これに伴い、他方の環状部３１が一方の環状部３１に近づくように一方の環状部３１の方向へ湾曲してもよい。このように環状部３１が湾曲することにより、一方の環状部３１に隣接している他方の環状部３１の側とは反対の他方の環状部３１の側から、環状部３１に保持されている液滴の表面を湾曲させてはみ出させることが可能となる。点眼の際には、このはみ出した液滴の表面を下眼瞼結膜に接触させて、点眼を行うことを容易とすることができる。
【００４３】
また、基部、先端部、逆止弁等の構成は、本実施形態における基部１０、先端部３０、逆止弁１２１等の構成に限定されない。
【符号の説明】
【００４４】
１  点眼容器アタッチメント
２、２Ｃ  点眼容器
１０  基部
２１  ノズル
２２  容器本体
３０  先端部
３１  環状部
３４  スリット
１２１  逆止弁
１０１  第１点眼液貯留部
３０１  第２点眼液貯留部
【図１】
2019166228.tif 000003
【図２】
2019166228.tif 000004
【図３】
2019166228.tif 000005
【図４】
2019166228.tif 000006
【図５】
2019166228.tif 000007